(57)【要約】      （修正有）【課題】回収代行手数料を簡易に処理することが可能な回収代行手数料処理装置を提供する。【解決手段】回収代行手数料処理装置は、売上金額及び回収代行手数料を含む売上データを入力する際に、回収代行手数料と未払費用の仕訳データを作成する売上処理手段と、入金金額を含む入金データを入力する入金処理手段と、入金消込を行う際に、回収代行手数料の未払費用と売掛金の相殺の仕訳データを作成する入金消込処理手段と、を備えている。【選択図】図１
2019095941.tif 000002
【特許請求の範囲】
【請求項１】
制御部を備えた回収代行手数料処理装置であって、
前記制御部は、
売上金額及び回収代行手数料を含む売上データを入力する際に、回収代行手数料と未払費用の仕訳データを作成する売上処理手段と、
入金金額を含む入金データを入力する入金処理手段と、
入金消込を行う際に、回収代行手数料の未払費用と売掛金の相殺の仕訳データを作成する入金消込処理手段と、
を備えたことを特徴とする回収代行手数料処理装置。
【請求項２】
前記仕訳データの勘定科目は、マスタに登録されている勘定科目のデータが設定されることを特徴とする請求項１に記載の回収代行手数料処理装置。
【請求項３】
前記売上処理手段は、前記売上データに基づいて、回収金額及び回収予定日を含む回収予定データを作成し、また、前記仕訳データに基づいて、支払予定金額及び支払予定日を含む支払予定データを作成することを特徴とする請求項１又は２に記載の回収代行手数料処理装置。
【請求項４】
前記入金消込処理手段は、前記相殺の仕訳データに基づいて、前記回収予定データの回収予定金額及び前記支払予定データの支払予定金額を更新することを特徴とする請求項３に記載の回収代行手数料処理装置。
【請求項５】
制御部を備えた情報処理装置で実行される回収代行手数料処理方法であって、
前記制御部で実行される、
売上金額及び回収代行手数料を含む売上データを入力する際に、回収代行手数料と未払費用の仕訳データを作成する売上処理ステップと、
入金金額を含む入金データを入力する入金処理ステップと、
入金消込を行う際に、回収代行手数料の未払費用と売掛金の相殺の仕訳データを作成する入金消込処理ステップと、
を含むことを特徴とする回収代行手数料処理方法。
【請求項６】
制御部を備えた情報処理装置に実行させるための回収代行手数料処理プログラムであって、
前記制御部で実行させるための、
売上金額及び回収代行手数料を含む売上データを入力する際に、回収代行手数料と未払費用の仕訳データを作成する売上処理ステップと、
入金金額を含む入金データを入力する入金処理ステップと、
入金消込を行う際に、回収代行手数料の未払費用と売掛金の相殺の仕訳データを作成する入金消込処理ステップと、
をコンピュータに実行させるための回収代行手数料処理プログラム。
【発明の詳細な説明】
【技術分野】
【０００１】
本発明は、回収代行手数料処理装置、回収代行手数料処理方法、及び回収代行手数料処理プログラムに関する。  
【背景技術】
【０００２】
従来、例えば、回収代行を行うシステムとして特許文献１がある。かかる特許文献１のシステムは、ユーザ１１のユーザ端末１０と、販売センター２１の販売センター端末２０と、配送センター３１の配送センター端末３０と、ユーザ１１の口座振替利用による代金自動引き落としにより代金回収を行う代金回収事業者４１の代金回収事業者端末４０と、これら各端末１０、２０、３０、を相互に接続するネットワーク５０を備えている。
【０００３】
ユーザ１１がユーザ端末１０からネットワーク５０を経由して販売センター２１に対して購入希望の商品の注文を行い、販売センター２０が配送センター３１に指示してユーザ指定の届け先へ届け、代金回収事業者４１のユーザの口座振替利用による自動引き落としにて代金回収を行う。代金回収事業者４１は、回収した代金を販売センター２１に支払う。販売センター２１は、代金回収事業者４１に回収代行手数料を支払う。
【先行技術文献】
【特許文献】
【０００４】
【特許文献１】特開２００２−２４５３６４号公報
【発明の概要】
【発明が解決しようとする課題】
【０００５】
しかしながら、上記特許文献１では、代金回収事業者４１は、回収した代金を販売センター２１に支払い、販売センター２１は、代金回収事業者４１に回収代行手数料を支払っているため、回収代行手数料の処理が煩雑となっている。
【０００６】
本発明は、上記に鑑みてなされたものであって、回収代行手数料を簡易に処理することが可能な回収代行手数料処理装置、回収代行手数料処理方法、及び回収代行手数料処理プログラムを提供することを目的とする。
【課題を解決するための手段】
【０００７】
上述した課題を解決し、目的を達成するために、本発明は、制御部を備えた回収代行手数料処理装置であって、前記制御部は、売上金額及び回収代行手数料を含む売上データを入力する際に、回収代行手数料と未払費用の仕訳データを作成する売上処理手段と、入金金額を含む入金データを入力する入金処理手段と、入金消込を行う際に、回収代行手数料の未払費用と売掛金の相殺の仕訳データを作成する入金消込処理手段と、を備えたことを特徴とする。
【０００８】
また、本実施の形態によれば、記仕訳データの勘定科目は、マスタに登録されている勘定科目のデータが設定されることが望ましい。
【０００９】
また、本実施の形態によれば、前記売上処理手段は、前記売上データに基づいて、回収予定金額及び回収予定日を含む回収予定データを作成し、また、前記仕訳データに基づいて、支払予定金額及び支払予定日を含む支払予定データを作成することが望ましい。
【００１０】
また、本実施の形態によれば、前記入金消込処理手段は、前記相殺の仕訳データに基づいて、前記回収予定データの回収予定金額及び前記支払予定データの支払予定金額を更新することが望ましい。
【００１１】
また、上述した課題を解決し、目的を達成するために、本発明は、制御部を備えた情報処理装置で実行される回収代行手数料処理方法であって、前記制御部で実行される、売上金額及び回収代行手数料を含む売上データを入力する際に、回収代行手数料と未払費用の仕訳データを作成する売上処理ステップと、入金金額を含む入金データを入力する入金処理ステップと、入金消込を行う際に、回収代行手数料の未払費用と売掛金の相殺の仕訳データを作成する入金消込処理ステップと、を含むことを特徴とする。
【００１２】
また、上述した課題を解決し、目的を達成するために、本発明は、制御部を備えた情報処理装置に実行させるための回収代行手数料処理プログラムであって、前記制御部で実行させるための、売上金額及び回収代行手数料を含む売上データを入力する際に、回収代行手数料と未払費用の仕訳データを作成する売上処理ステップと、入金金額を含む入金データを入力する入金処理ステップと、入金消込を行う際に、回収代行手数料の未払費用と売掛金の相殺の仕訳データを作成する入金消込処理ステップと、をコンピュータに実行させることを特徴とする。
【発明の効果】
【００１３】
本発明によれば、回収代行手数料を簡易に処理することが可能な回収代行手数料処理装置を提供することが可能になるという効果を奏する。
【図面の簡単な説明】
【００１４】
【図１】図１は、回収代行手数料処理装置の構成の一例を示すブロック図である。
【図２】図２は、本実施の形態に係る回収代行手数料処理装置の全体の処理を説明するための図である。
【図３】図３は、売上入力処理、入金入力処理、及び入金消込入力処理の各処理で作成されるデータのモデルを示す図である。
【図４】図４は、売上入力処理部によって表示される売上入力画面の表示例を示す図である。
【図５】図５は、売上入力処理において、売上データ、回収予定データ、仕訳データ、支払予定データ及び回収代行手数料マスタのデータ例を示す図である。
【図６】図６は、入金データのデータ例及びその仕訳の一例を示す図である。
【図７】図７は、入金消込処理部によって表示される入金消込入力画面の表示例を示す図である。
【図８】図８は、入金消込入力処理において、入金消込データ、回収予定データ、仕訳データ、及び支払予定データのデータ例を示す図である。
【図９】図９は、入金消込入力画面の相殺仕訳ボタンを押下した際のデータ遷移図である。
【発明を実施するための形態】
【００１５】
以下に、本発明に係る回収代行手数料処理装置、回収代行手数料処理方法、及び回収代行手数料処理プログラムの実施の形態を、図面に基づいて詳細に説明する。なお、本実施形態によりこの発明が限定されるものではない。
【００１６】
[１．概要］
広告業やＩＴサービス業などでは回収代行会社にサービス料金の回収を依頼することが多い。回収代行会社を介してサービス料金を徴収する場合、回収代行手数料が発生する。回収代行手数料とは、サービスを提供する事業者に代わって回収代行会社がサービスの利用者から徴収する際に発生する手数料である。
【００１７】
従来、回収代行手数料を売上と紐付ける仕組みや、支払予定情報の自動作成機能、回収予定との相殺情報の自動作成ができなかったため、（１）売上計上時に別途回収代行手数料の仕訳を作成、（２）入金時に、債権と債務の相殺仕訳を作成、（３）入金情報と相殺仕訳を元に債権の消込の手順を都度手動で行っており、煩雑で手間がかかっていた。
【００１８】
本実施の形態では、回収代行手数料を簡易に処理するために、売上計上時に回収代行手数料の計上と債務の計上を自動で作成するものである。
【００１９】
以下、具体的な構成および動作について説明する。
【００２０】
［２．構成］
本実施形態に係る回収代行手数料処理装置１００の構成について、図１を参照して説明する。図１は、回収代行手数料処理装置１００の構成の一例を示すブロック図である。回収代行手数料処理装置１００は、料金回収代行会社に料金回収代行を依頼する会社（例えば、広告会社やＩＴ関連会社等）用の装置である。
【００２１】
回収代行手数料処理装置１００は、市販のデスクトップ型パーソナルコンピュータである。なお、回収代行手数料処理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００２２】
回収代行手数料処理装置１００は、図２に示すように、制御部１０２と通信インターフェース部１０４と記憶部１０６と入出力インターフェース部１０８と、を備えている。回収代行手数料処理装置１００が備えている各部は、任意の通信路を介して通信可能に接続されている。
【００２３】
通信インターフェース部１０４は、ルータ等の通信装置および専用線等の有線または無線の通信回線を介して、回収代行手数料処理装置１００をネットワーク３００に通信可能に接続する。通信インターフェース部１０４は、他の装置と通信回線を介してデータを通信する機能を有する。ここで、ネットワーク３００は、回収代行手数料処理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。  
【００２４】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。また、ユーザがモニタ１１４に表示して、入力装置１１２で操作等をすることを、「ＵＩを介したユーザ操作」と記載する場合がある。
【００２５】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。  
【００２６】
記憶部１０６は、売上データファイル１０６ａと、回収予定データファイル１０６ｂと、仕訳データファイル１０６ｃと、支払予定データファイル１０６ｄと、入金データファイル１０６ｅと、入金消込データファイル１０６ｆと、回収代行手数料マスタ１０６ｇとを格納する。
【００２７】
回収代行手数料マスタ１０６ｇは、仕訳データの勘定科目を設定する場合に使用するマスタである。回収代行手数料マスタ１０６ｇは、借方勘定科目、借方勘定科目名、貸方勘定科目、及び貸方勘定科目名等のデータを対応づけて登録したテーブル等である（図５参照）。
【００２８】
売上データファイル１０６ａは、売上データを格納するためのファイルである。売上データは、契約番号、売上番号、売上金額、回収代行手数料、及び売上日等のデータを含んでいる（図３参照）。
【００２９】
回収予定データファイル１０６ｂは、回収予定データを格納するためのファイルである。回収予定データは、売上番号、勘定科目、回収予定金額、及び回収予定日等のデータを含んでいる（図３参照）。
【００３０】
仕訳データファイル１０６ｃは、仕入データを格納するためのファイルである。仕訳データは、仕訳番号、契約番号、勘定科目（貸方、借方）、勘定科目名（貸方、借方）、及び仕訳金額（貸方、借方）等のデータを含んでいる（図３参照）。
【００３１】
支払予定データファイル１０６ｄは、支払予定データを格納するためのファイルである。支払予定データは、仕訳番号、勘定科目、支払予定金額、及び支払予定日等のデータを含んでいる（図３参照）。
【００３２】
入金データファイル１０６ｅは、入金データを格納するためのファイルである。入金データは、入金番号、入金金額、入金方法、及び入金日等のデータを含んでいる（図３参照）。  
【００３３】
入金消込データファイル１０６ｆは、入金消込データを格納するためのファイルである。入金消込データは、入金消込番号、入金番号、契約番号、消込原資金額、及び消込対象金額のデータを含んでいる（図８参照）。
【００３４】
制御部１０２は、各ファイル１０６ａ〜１０６ｆに格納されているデータを帳票形式で出力（出力装置１１４のモニタで表示したり、プリンタで印刷等）が可能となっている。
【００３５】
制御部１０２は、回収代行手数料処理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、売上処理部１０２ａと、入金処理部１０２ｂと、入金消込処理部１０２ｃとを備えている。
【００３６】
売上処理部１０２ａは、売上金額及び回収代行手数料を含む売上データを入力する際に、回収代行手数料と未払費用の仕訳データを作成する。また、売上処理部１０２ａは、仕訳データの勘定科目に、回収代行手数料マスタ１０６ｇに登録されている勘定科目のデータを設定してもよい。また、売上処理部１０２ａは、売上データに基づいて、回収金額及び回収予定日を含む回収予定データを作成し、また、仕訳データに基づいて、支払予定金額及び支払予定日を含む支払予定データを作成してもよい。
【００３７】
入金処理部１０２ｂは、金金額を含む入金データを入力する。入金消込処理部１０２ｃは、入金消込を行う際に、回収代行手数料の未払費用と売掛金の相殺の仕訳データを作成する。また、入金消込処理部１０２ｃは、相殺の仕訳データに基づいて、回収予定データの回収予定金額及び支払予定データの支払予定金額を更新してもよい。
【００３８】
［３．処理の具体例］
本実施の形態に係る回収代行手数料処理装置１００の処理の具体例について、図２〜図９を参照して詳細に説明する。図２は、本実施の形態に係る回収代行手数料処理装置１００の全体の処理を説明するための図である。図３は、売上入力処理、入金入力処理、及び入金消込入力処理の各処理で作成されるデータのモデルを示す図である。図２及び図３を参照して、本実施の形態に係る回収代行手数料処理装置１００の全体の処理を説明する。
【００３９】
図２において、売上処理部１０２ａは、売上入力処理を実行する（ステップＳ１）。売上入力処理では、契約番号、売上番号、売上日、売上金額、及び回収代行手数料等を含む売上データを入力して、売上データファイル１０６ａに格納する。また、売上入力処理では、売上データに基づいて、回収予定データ及び回収代行手数料の仕訳データを作成して、回収予定データファイル１０６ｂ及び仕訳データファイル１０６ｃに格納する。仕訳データは、回収代行手数料マスタ１０６ｇに設定されている勘定科目を参照して作成する。さらに、売上入力処理では、仕訳データに基づいて支払予定データを作成して、支払予定データファイル１０６ｄに格納する。
【００４０】
入金処理部１０２ｂは、入金入力処理を実行する（ステップＳ２）。入金入力処理では、入金番号、入金金額、入金方法、及び入金日を含む入金データを入力して、入金データファイル１０６ｅに格納する。
【００４１】
入金消込処理部１０２ｃは、入金消込入力処理を実行する（ステップＳ３）。入金消込入力処理では、入金消込番号、入金番号、契約番号、消込原資金額、及び消込対象金額を含む入金消込データを入力して、入金消込データファイル１０６ｆに格納する。また、入金消込入力処理では、回収代行手数料の未払費用と売掛金の相殺の仕訳データを作成する。また、入金消込入力処理では、相殺の仕訳データに基づいて、回収予定データの回収予定金額及び支払予定データの支払予定金額を更新する。
【００４２】
図４〜図９は、本実施の形態に係る回収代行手数料処理装置１００の処理の具体例を説明するための図である。図４〜図９を参照して、本実施の形態に係る回収代行手数料処理装置１００の処理の具体例を説明する。
【００４３】
（売上入金処理）
図４及び図５を参照して、売上入力処理を説明する。図４は、売上処理部１０２ａによって表示される売上入力画面の表示例を示す図である。図５は、売上データ、回収予定データ、仕訳データ、支払予定データ及び回収代行手数料マスタのデータ例を示す図である。
【００４４】
図４に示す売上入力画面４００の例では、契約番号、売上日、売上金額、及び回収代行手数料を入力する欄と、登録ボタン４０１が表示されている。図４に示す例では、契約番号「Ａ０１０００１」、売上日「２０１７／４／３０」、売上金額「￥１，０００，０００」、及び回収代行手数料「￥１００，０００」が入力されている。売上処理部１０２ａは、登録ボタン４０１が押されると、例えば、図５（ａ）に示すような売上データを作成する。図５（ａ）に示す例では、売上データは、契約番号「Ａ０１０００１」、売上番号「Ｓ０１０００１」、売上日「２０１７／４／３０」、売上金額「￥１，０００，０００」、及び回収代行手数料「￥１００，０００」となっている。なお、売上番号は自動採番としてもよい。
【００４５】
売上処理部１０２ａは、売上データに基づいて、回収予定データを作成する。回収予定データは、図５（ｂ）に示す例では、売上番号「Ｓ０１０００１」、回収予定金額「￥１，０００，０００」、回収予定日「２０１７／５／３１」、勘定科目「売掛金」となっている。
【００４６】
また、売上処理部１０２ａは、売上データに基づいて、回収代行手数料マスタ１０６ｇに設定されている勘定科目を参照して、回収代行手数料の仕訳データを作成する。
【００４７】
回収代行手数料マスタ１０６ｇは、図５（ｃ）に示す例では、借方勘定科目「Ｋ１０００」、借方勘定科目名「回収代行手数料」、貸方勘定科目「３０００」、及び貸方勘定科目名「未払費用」となっている。
【００４８】
仕訳データは、図５（ｄ）に示す例では、仕訳番号「ＳＩ０１００１」、契約番号「Ａ０１０００１」、借方勘定科目「Ｋ１０００」、借方勘定科目名「回収代行手数料」、借方金額「￥１００，０００」、貸方勘定科目「３０００」、貸方勘定科目名「未払費用」、貸方金額「￥１００，０００」となっている。なお、仕訳番号は自動採番としてもよい。
【００４９】
さらに、売上処理部１０２ａは、仕訳データに基づいて支払予定データを作成する。これにより、回収代行手数料から発生する債務の管理を可能とする。支払予定データは、図５（ｅ）に示す例では、仕訳番号「ＳＩ０１０００１」、支払予定金額「￥１００，０００」、支払予定日「２０１７／５／３１」、勘定科目「未払費用」となっている。
【００５０】
図５（ｆ）は、売上入力時の仕訳（回収代行手数料の仕訳）の出力例を示しており、売上処理部１０２ａは、仕訳データ等に基づいて、仕訳を帳票形式で出力することが可能となっている。
【００５１】
（入金入力処理）
図６を参照して、入金入力処理を説明する。図６は、入金データのデータ例及びその仕訳の一例を示す図である。
【００５２】
入金処理部１０２ｂは、回収代行業者から入金があると、入金データを入力する。図６（ａ）に示す例では、入金データは、入金番号「ＮＹ１０００１」、入金金額「９０００，０００」、入金方法「振込」、及び入金日「２０１７／５／３１」となっている。図６（ｂ）は、入金時の仕訳の出力例を示しており、入金処理部１０２ｂは、入金データ等に基づいて、入金の仕訳を帳票形式で出力することが可能となっている。
【００５３】
（入金消込入力処理）
図７〜図９を参照して、入金消込入力処理を説明する。図７は、入金消込処理部１０２ｃによって表示される入金消込入力画面の表示例を示す図である。図８は、入金消込処理において、入金消込データ、回収予定データ、仕訳データ、及び支払予定データのデータ例を示す図である。図９は、入金消込入力画面の相殺仕訳ボタンを押下した際のデータ遷移図である。
【００５４】
図７に示す入金消込入力画面５００の例では、上段に、入金番号、入金消込番号、及び消込原資金額をそれぞれ入力する欄５０１が表示される。オペレータが、入金番号を入力する欄で入金番号を入力すると、入金消込番号を自動採番して表示し、さらに、入金番号をキーとして入金データの入金金額を検索して消込原資金額として表示してもよい。図７に示す例では、入金番号「ＮＹ０１００１」、入金消込番号「ＮＫ１００１」、消込原資金額「￥９００，０００」となっている。
【００５５】
入金処理部１０２ｂは、これらの入力に基づいて、例えば、図８（ａ）に示すような入金消込データを作成する。図８（ａ）に示す例では、入金消込データは、入金消込番号「ＮＫ０１００１」、入金番号「ＮＹ０１００１」、契約番号「Ａ０１０００１」、消込原資金額「￥９００，０００」、及び消込対象金額「￥９００，０００」となっている。
【００５６】
また、入金消込入力画面５００の例では、中段に、消込候補表示ボタン５０２と、消込候補表示エリア５０３が表示される。消込候補表示エリア５０３には、契約番号と、債権金額と、消込対象を選択するためのＦＬＧボックスが表示される。消込候補表示ボタン５０２を押下すると、消込候補表示エリア５０３には、契約番号と、売上入力処理で作成された債権金額が表示される。図７に示す例では、契約番号「Ａ０１０００１」と、債権金額「￥１，０００，０００」が表示されている。また、図７に示す例では、ＦＬＧボックスで、契約番号「Ａ０１０００１」、債権金額「￥１，０００，０００」が消込候補として選択される。
【００５７】
さらに、入金消込入力画面５００の例では、下段に、相殺仕訳ボタン５０４と、相殺仕訳表示エリア５０５と、合計債権金額表示欄５０６と、登録ボタン５０７が表示される。
相殺仕訳表示エリア５０５には、契約番号と、債権金額と、相殺仕訳対象を選択するためのＦＬＧボックスが表示されている。
【００５８】
相殺仕訳ボタン５０４を押下すると、消込候補表示エリア５０３で選択した消込対象について、図９のデータ遷移図に示すように、今回の消込対象の回収予定データに紐づく契約番号を取得し、契約番号をキーとして売上入力処理（売上入力時）で作成した支払予定データを特定し、相殺の仕訳データを作成する（仕訳データに新たなレコードを追加する）。相殺の仕訳データは、図８（ｂ）に示す例では、仕訳番号「ＳＩ０１００１」、契約番号「Ａ０１０００１」、借方勘定科目「１０００」、借方科目名「売掛金」、借方金額「−￥１００，０００」、貸方勘定科目「３０００」、貸方科目名「未払費用」、及び貸方金額「−￥１００，０００」となる。
【００５９】
また、入金消込処理部１０２ｃは、相殺の仕訳データに基づいて、回収予定データ及び支払予定データを更新する。図８（ｃ）に示すように、回収予定データは、図５（ｂ）に示す回収予定金額「￥１，０００，０００」が「−￥１００，０００」に更新（変更）される。また、図８（ｄ）に示すように、支払予定データは、図５（ｅ）に示す支払予定金額「￥１００，０００」が「−￥１００，０００」に更新される。図８（ｅ）は、相殺の仕訳の出力例を示している。入金消込処理部１０２ｃは、相殺の仕訳データ等に基づいて、相殺の仕訳を帳票形式で出力可能に構成されている。
【００６０】
図７に示す例では、相殺仕訳表示エリア５０５には、契約番号「Ａ０１０００１」と、債権金額「−￥１００，０００」が表示される。そして、ＦＬＧボックスで、契約番号「Ａ０１０００１」、債権金額「−￥１００，０００」をチェックして、今回の相殺仕訳対象を選択する。相殺仕訳表示エリア５０５には、合計債権金額として、「￥９００，０００」が表示される。合計債権金額は、合計債権金額（￥９００，０００）＝消込対象（￥１，０００，０００）＋相殺金額（−￥１００，０００）で算出することができる。
【００６１】
登録ボタン５０７が押されると、入金消込処理部１０２ｃは、原資金額と債権金額の消込を行う。図８（ｆ）は、消込の仕訳の出力例を示している。
【００６２】
以上説明したように、本実施の形態によれば、売上金額及び回収代行手数料を含む売上データを入力する際に、回収代行手数料と未払費用の仕訳データを作成する売上処理部１０２ａと、入金金額を含む入金データを入力する入金処理部１０２ｂと、入金消込を行う際に、回収代行手数料の未払費用と売掛金の相殺の仕訳データを作成する入金消込処理部１０２ｃと、を備えているので、回収代行業者に回収代行手数料を支払うことなく、自動的に、回収代行手数料を簡易に処理することが可能となる。
【００６３】
また、仕訳データの勘定科目は、回収代行手数料マスタ１０６ｇに登録されている勘定科目のデータが設定されることとしたので、仕訳データの勘定科目を簡易に設定することが可能となる。
【００６４】
また、売上処理部１０２ａは、売上データに基づいて、回収予定金額（売掛金）及び回収予定日を含む回収予定データを作成し、また、仕訳データに基づいて、支払予定金額（未払費用）及び支払予定日を含む支払予定データを作成することとしたので、回収予定データ及び支払予定データを簡易に作成することが可能となる。
【００６５】
また、入金消込処理部１０２ｃは、相殺の仕訳データに基づいて、回収予定データの回収予定金額及び支払予定データの支払予定金額を更新することとしたので、売掛金及び未払費用を簡易に処理することが可能となる。
【００６６】
［４．他の実施形態］
本発明は、上述した実施形態以外にも、特許請求の範囲に記載した技術的思想の範囲内において種々の異なる実施形態にて実施されてよいものである。  
【００６７】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００６８】
また、本明細書中や図面中で示した処理手順、制御手順、具体的名称、各処理の登録データや検索条件等のパラメータを含む情報、画面例、データベース構成については、特記する場合を除いて任意に変更することができる。
【００６９】
また、回収代行手数料処理装置１００に関して、図示の各構成要素は機能概念的なものであり、必ずしも物理的に図示の如く構成されていることを要しない。  
【００７０】
例えば、回収代行手数料処理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて回収代行手数料処理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。  
【００７１】
また、このコンピュータプログラムは、回収代行手数料処理装置１００に対して任意のネットワークを介して接続されたアプリケーションプログラムサーバに記憶されていてもよく、必要に応じてその全部または一部をダウンロードすることも可能である。  
【００７２】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００７３】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００７４】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００７５】
また、回収代行手数料処理装置１００は、既知のパーソナルコンピュータまたはワークステーション等の情報処理装置として構成してもよく、また、任意の周辺装置が接続された当該情報処理装置として構成してもよい。また、回収代行手数料処理装置１００は、当該装置に本実施形態で説明した処理を実現させるソフトウェア（プログラムまたはデータ等を含む）を実装することにより実現してもよい。  
【００７６】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。  
【産業上の利用可能性】
【００７７】
本発明は、広告業やＩＴサービス業等の回収代行業者に回収代行の依頼を行う業界において広く利用することができる。
【符号の説明】
【００７８】
１００  回収代行手数料処理装置
１０２  制御部
１０２ａ  売上処理部
１０２ｂ  入金処理部
１０２ｃ  入金消込処理部
１０４  通信インターフェース部
１０６  記憶部
１０６ａ  売上データファイル
１０６ｂ  回収予定データファイル
１０６ｃ  仕訳データファイル
１０６ｄ  支払予定データファイル
１０６ｅ  入金データファイル
１０６ｆ  入金消込データファイル
１０６ｇ  回収代行手数料マスタ
１０８  入出力インターフェース部
１１２  入力装置
１１４  出力装置
２００  サーバ
３００  ネットワーク
【図１】
2019095941.tif 000003
【図２】
2019095941.tif 000004
【図３】
2019095941.tif 000005
【図４】
2019095941.tif 000006
【図５】
2019095941.tif 000007
【図６】
2019095941.tif 000008
【図７】
2019095941.tif 000009
【図８】
2019095941.tif 000010
【図９】
2019095941.tif 000011